(57)【要約】【課題】  ごみ袋集積場で使用する、ごみ袋を風や鳥獣から守り、またごみ袋の投入とごみ収集作業が楽なごみ袋集積ネットと、このごみ袋集積ネットの機能を最大限発揮させ広い場所も大掛かりな設置作業も要らない、ネットごみ袋集積装置を提供する。【解決手段】  ごみ袋集積ネットAは、円筒形状ネット本体１の両端口の上側に使用した剛性な円形状枠加工部分３と，両端口の下側に使用した剛性な円形状枠加工部分３aと、この円筒形状ネット本体１の長手方向途中の複数箇所の柔軟性のある円形状枠加工部分５とで、構成されて、ごみ袋集積ネット保持スタンドBで保持されて機能する。【選択図】図1
2008019098.tif 000002
【特許請求の範囲】
【請求項１】
ごみ袋集積場で使う，ごみ袋集積装置であって、円筒形状に加工されたごみ袋を入れる円筒形状ネット本体と、この円筒形状ネット本体の両端口に加工された剛性な円形状枠と、前記円筒形状ネット本体の長手方向途中の複数個所に加工された柔軟性を持つ円形状枠と、を有することを特徴とするネットごみ袋集積装置。
【請求項２】
ごみ袋集積場で使う、ごみ袋集積装置であって、円筒形状に加工されたごみ袋を入れる円筒形状ネット本体と、この円筒形状ネット本体の両端口に加工された剛性な円形状枠と、前記円筒形状ネット本体の長手方向途中の複数個所に加工された柔軟性を持つ円形状枠と、ごみ袋集積ネットを保持する複数箇所に突起部を持つ保持リングと、この保持リングを支持する支柱と、この支柱を固定するベースとを有することを特徴とするネットごみ袋集積装置。
【発明の詳細な説明】
【技術分野】
【０００１】
この発明は、一般家庭ごみの収集の際、ごみ袋集積場で使うごみ袋集積装置である。前記ごみ袋集積装置は、戸建の多い住宅街では、ごみ袋を数軒単位ごと路肩に集積して、使用できる。またマンションのような集合住宅では、ごみ袋集積場で必要個数並べて使用する、ごみ袋集積装置に関する。
【背景技術】
【０００２】
従来ごみ袋集積場でこの種のネットなどを使う時は、集積したごみ袋の上から平坦なネットやブルーシートといったもので覆いかぶせ、周りを重石で押さえ、風や鳥獣からの飛散に対応していたが、しかしこれらは完全なものではなく、ごみは鳥獣などから食い散らかされ、またごみ袋はゴミ収集車への積み残しもありごみは散乱していた。このためごみ収集作業後の住民の片付けもまた大変な手間であった。
【０００３】
このためごみ袋集積ネットは、その役目を最大限発揮しているとは、いえなかった。
下記の特許文献１，２，３には、風や鳥獣からの飛散を防ぐ、ごみ袋集積ネットの技術が開示されている。
また、下記の特許文献４，５には、同じく飛散を防ぐが、しかし大掛かりな設置作業の伴うごみ袋集積箱といったものの技術が開示されている。
【特許文献１】特開  ２００３−２５２４０１号公報
【特許文献２】特開  ２００３−３２７３０２号公報
【特許文献３】実用新案登録  第３０２７４５４号公報
【特許文献４】特開  ２００４−３１５２２２号公報
【特許文献５】特開  ２００６−２１３５１４号公報
【発明の開示】
【発明が解決しようとする課題】
【０００４】
しかしながら、上記の特許文献１，２，３の技術は、風や鳥獣からの飛散を防ぐだけで、ごみ袋をごみ袋集積場に出すときの容易さ、またごみ袋をゴミ収集車に積み込むときのごみ収集作業の、両方を満足させるものではなく利便性にかけていた。また特許文献４，５の技術は、ごみ袋集積場の広い場所の確保や、設置にも大掛かりな作業が必要であった。そこでこの発明は、ごみ袋をごみ袋集積場に出す場合、ごみ袋を容易に出せて、風や鳥獣にも害されず、またごみ袋のゴミ収集車への積み残し無くごみの収集作業もできるため、ごみ収集作業の時間と労力の削減にもつながり、また広い場所も大掛かりな設置作業も必要ないのでコスト面でも低減できる、ネットごみ袋集積装置を提供することを目的とする。
【課題を解決するための手段】
【０００５】
以上の課題を解決するために、第一発明は、ごみ袋集積場で使う、ごみ袋集積装置であって、円筒形状に加工されたごみ袋を入れる円筒形状ネット本体と、この円筒形状ネット本体の両端口に加工された剛性な円形状枠と、前記円筒形状ネット本体の長手方向途中の複数個所に加工された柔軟性を持つ円形状枠と、を有することを特徴とする、ネットごみ袋集積装置である。
【０００６】
第二発明は、ごみ袋集積場で使う、ごみ袋集積装置であって、円筒形状に加工されたごみ袋を入れる円筒形状ネット本体と、この円筒形状ネット本体の両端口に加工された剛性な円形状枠と、前記円筒形状ネット本体の長手方向途中の複数個所に加工された柔軟性を持つ円形状枠と、ごみ袋集積ネットを保持する二箇所に突起部を持つ保持リングと、この保持リングを支持する支柱と、この支柱を固定するベースと、を有することを特徴とする、ネットごみ袋集積装置である。
【発明の効果】
【０００７】
第一発明によれば、このごみ袋集積装置は、ごみ袋集積ネット片端口の剛性な円形状枠を上向きに保持することにより、ごみ袋を容易にごみ袋集積ネット内に投入でき、しかも風やカラス、犬、猫といった鳥獣から完全に守ることができる。またこのごみ袋集積ネットは、ごみ袋をゴミ収集車へ積み残し無くごみ収集作業ができるため、ごみ収集作業の時
間と労力の削減に貢献できる。
【０００８】
第二発明によれば、このごみ袋集積装置のごみ袋集積ネットを保持する、ごみ袋集積ネット保持スタンドは、ごみ袋集積ネットの機能を最大限発揮させるために、ごみ袋集積ネット片端口の剛性な円形状枠をごみ袋集積ネット保持スタンドの、二箇所に突起部を持つ保持リング上部に乗せて保持して使用することで、ほとんど場所をとらず広い場所確保も、大掛かりな設置作業も必要なくコスト低減に寄与できる。
【発明を実施するための最良の形態】
【０００９】
この発明の実施形態を、図１に示す。
このようにして設置されたごみ袋集積ネットＡは、丈夫な数ミリ目のネット地を、通常のごみ袋が無理なく投入できる直径サイズにして円筒形状に加工された、円筒形状ネット本体１と、この両端口の上側に使用した剛性な円形状枠加工部分３と、下側に使用した剛性な円形状枠加工部分３ａと、また前記円筒形状ネット本体１の、長手方向途中の複数箇所に柔軟性のある円形状枠加工部分５とで、構成されている。
ネットで構成することにより、ごみ袋から液体が漏れても排水することができる。
【００１０】
保持リング１１は円形状に構成されており、その二箇所に突起部１３を有し、突起部１３の大きさは、その内側の対辺サイズが円形状枠加工部分３の直径より大きくなっており、したがって円形状枠加工部分３を傾ければ突起部１３の内側から通過させることができる。保持リング１１は、穴１２を介して保持スタンド支柱１５に調節レバー１１ａで固定されている。保持スタンド支柱１５は足１９を有する保持スタンドベース１７に固定されている。
このごみ袋集積ネットＡの、両端口の上側に使用した剛性な円形状枠加工部分３は、ごみ袋集積ネット保持スタンドＢの、二箇所に突起部を持つ保持リング１１上部に、前記突起部１３にあわせて下から通して乗せ、保持した状態で使用する。このときごみ袋集積ネットＡの両端口の下側に使用した剛性な円形状枠加工部分３ａは、保持スタンドベース１７より上部に設けられた剛性な円形状枠加工部分引っ掛けフック１６に引っ掛けられ、それに伴ってネット１の下部も上部に引き上げられて、ごみ袋は外部にはみ出さない。ここで二箇所に突起部１３を持つ保持リング１１の直径サイズは、ごみ袋集積ネットＡの直径サイズより一回り小さいサイズにする。
【００１１】
またこのごみ袋集積ネットの長手方向の寸法は、ごみ袋を入れた状態でごみ収集員がごみの収集作業をするのに持ち運び可能な容量にする必要があるが、このごみ袋集積ネット自身は折りたたみができるので長くしてもよく、ごみ袋が十数個程度投入されてもごみの収集作業ができ、ごみ袋集積ネットの機能を最大限発揮できればよいので数メートル程度で充分である。
【００１２】
この実施形態では、ごみ袋をごみ袋集積ネットに投入後、投入されたごみ袋が奥のほうへ途中詰まらぬように両端口の上側に使用した剛性な円形状枠加工部分３を、必要に応じて持ち上げればよく、元に戻す時には前記円形状枠加工部分３を、回転させて二箇所に突起部を持つ保持リング１１の上部に乗せれば、前記二箇所に突起部を持つ保持リング１１の下側部分のネットはよじれて中に入ったごみ袋は外部と遮断され鳥獣から守られて機能する。このとき柔軟性のある円形状枠の加工部分５は、二箇所に突起部を持つ保持リング１１を問題なく通り抜ける寸法になるように考慮する。
ここで使用する部材は、すべて屋外で使用するので、耐候性のあるものを選択する必要がある。
「実施形態の効果」
【００１３】
この実施形態によれば、ごみ袋はごみ袋集積ネットAの中に容易に投入でき、その後重石をする必要もなく、また風やカラス、犬、猫といった鳥獣から完全に守ることができる。また、ごみ袋をゴミ収集車に積み込む際は、両端口の上側に使用した剛性な円形状枠加工部分３を、二箇所に突起部を持つ保持リング１１からはずし、ごみ袋集積ネットＡの、柔軟性のある円形状枠加工部分５、と両端口の下側に使用した剛性な円形枠加工部分３ａを持ち、ここからかゴミ収集車に積み込むため、ごみの積み残しが無く、これでごみ収集作業の時間と労力の削減に貢献できる。またこのことによりごみ収集の後片付けも大変楽である。
【００１４】
そしてこのネットごみ袋集積装置を使うことで、ごみ袋集積ネット保持スタンドBの接地部分だけの占有面積で広い場所確保も大掛かりな設置作業も必要なく、コスト低減につながる。
「他の実施形態」
【００１５】
図１の実施形態では、ごみ袋が多いマンションといった集合住宅のような、ごみ袋集積場での対応には不向きである。そこでごみ袋の多いごみ袋集積場では、このネッごみ袋集積装置を、複数個並べて使用することで解決できる。
【図面の簡単な説明】
【００１６】
【図１】この発明のごみ袋集積ネット一実施形態を示す、斜視図である。
【図２】同ごみ袋集積ネットの形状を示す斜視図。
【図３】B---ごみ袋集積ネット保持スタンドの形状を示す斜視図。
【符号の説明】
【００１７】
１      円筒形状ネット本体、
３      両端口の上側に使用した剛性な円形状枠加工部分、
３ａ    両端口の下側に使用した剛性な円形状枠加工部分、
５      柔軟性のある円形状枠加工部分、
１1     二箇所に突起部をもつ保持リング、
１１ａ  二箇所に突起部を持つ保持リング上下調節レバー、
１２    二箇所に突起部を持つ保持リング上下調節用穴
１３    突起部、
１５    保持スタンド支柱、
１６    剛性な円形状枠加工部分引っ掛けフック、
１７    保持スタンドベース、
１9     保持スタンド足、
A       ごみ袋集積ネット、
B       ごみ袋集積ネット保持スタンド、
【図１】
2008019098.tif 000003
【図２】
2008019098.tif 000004
【図３】
2008019098.tif 000005